(57)【要約】【課題】プロジェクタにおいて、狭い会議室等で使用しても排気口からの熱風が出席者に当たるのを防止する。【解決手段】筐体１１内には、液晶パネル２０，キセノンランプ２１，排気ファン２２が設けられている。可動カバー１７が閉位置にセットされたとき、排気ファン２２からの熱風２３が、スリット１７ｂ，１９ｄを通って、筐体１１の側方外部へ排出される。可動カバー１７を閉位置から斜め開位置に回動すると、湾曲部１９ｂは、可動カバー１７に対して相対的に移動し、スリット１９ｄがスリット１７ｂからずれて、スリット１９ｄ以外の板状部材１９によってスリット１７ｂが塞がれる。熱風２３が、排気口１６を通って可動カバー１７の湾曲した内壁面及び板状部材１９の湾曲部１９ｂに当たり、斜め上方へ排出される。【選択図】図４
2010286560.tif 000002
【特許請求の範囲】
【請求項１】
プロジェクタ本体の内部に設けられ、画像投影に用いられる光源と、
前記プロジェクタ本体の天板部及び底板部を除く側板部に設けられ、前記光源の熱を前記プロジェクタ本体の外部へ排出する排気口と、
開閉自在な通気孔を有し、前記排気口を閉じる閉位置では、前記通気孔が開き、この通気孔を通って、前記プロジェクタ本体の側方へ前記熱を排出し、前記排気口を開放するとともに前記側板部の外面に対して傾斜した斜め開位置では、前記通気孔が閉じ、前記開放した排気口を通って、前記閉位置での排出方向とは異なる方向へ前記熱を排出するように、前記閉位置と斜め開位置との間で変位自在な開閉扉と
を設けたことを特徴とするプロジェクタ。
【請求項２】
前記通気孔と相似形をした開口が形成された板状部材を、前記開閉扉の変位に連動して前記開閉扉の面に沿って摺動自在に設け、前記開閉扉を閉位置にセットしたときには、前記開口の位置と通気孔の位置とが一致して通気孔が開かれ、前記開閉扉を斜め開位置にセットしたときには、前記開口の位置と通気孔の位置とがずれて通気孔が閉じられることを特徴とする請求項１記載のプロジェクタ。
【請求項３】
前記開閉扉の少なくともプロジェクタ本体の内側の面は、緩やかに凹状に湾曲した形状をしていることを特徴とする請求項１または２記載のプロジェクタ。
【請求項４】
前記板状部材の一端部は、前記プロジェクタ本体に固定されていることを特徴とする請求項２または３記載のプロジェクタ。
【請求項５】
前記板状部材と前記開閉扉との間に、前記板状部材を、前記通気孔が閉じる方向に付勢する付勢手段を設けたことを特徴とする請求項２または３記載のプロジェクタ。
【発明の詳細な説明】
【技術分野】
【０００１】
本発明は、画像等をスクリーン等に投影する液晶プロジェクタ等のプロジェクタに関するものである。
【背景技術】
【０００２】
画像や文字等をスクリーンに投影する液晶プロジェクタ等のプロジェクタが知られている。このようなプロジェクタの投影用光源としては、可視光域の分光分布が太陽光のそれに近く演色性に優れている点から、キセノンランプを用いているものが多い。このキセノンランプは、使用中に高熱を発し、また、キセノンランプに電源を供給する光源用電源もかなりの高温になる。このため、プロジェクタ本体には、排気ファンが設けられており、排気口を通して、内部の熱を外部に排出するようにしている。
【０００３】
一対の排気口を投影レンズを挟んでプロジェクタ本体の前板部に設けた液晶プロジェクタが知られている（特許文献１）。また、プロジェクタ本体の下面に、排気方向が９０°ずつ異なる（前後左右の四方）４個の排気ガイド（排気口）を設け、これらの開閉を任意に選択することにより、排気方向を変更することができる映像表示装置（プロジェクタ）が知られている（特許文献２）。この特許文献２記載のプロジェクタでは、排気口の開閉を制御して排気方向を前後左右のいずれか（複数も選択可能）に変更し、排気口から吹き出される熱風に使用者がさらされることが無くなるとしている。
【先行技術文献】
【特許文献】
【０００４】
【特許文献１】特開２００２−３４１４４８
【特許文献２】特開２００３−２０２６３１
【発明の概要】
【発明が解決しようとする課題】
【０００５】
上記特許文献１記載のプロジェクタは、天井に設置して使用するもので、大きな会場での使用を前提としている。また、上記特許文献２記載のプロジェクタは、狭い会議室でも使用可能であり、４個の排気口から任意に排気口を選択可能とし、熱風に使用者がさらされることが無くなるとしているが、いずれの排気口もプロジェクタ本体から側方へ向けて排気することに変わりがない。狭い会議室でプロジェクタを使用する場合、プロジェクタは一般的な事務机の上に載置して使用されることが多く、上記特許文献２記載のプロジェクタでは、４個の排気口をどのように選択しても、参加者のうちの誰かの顔に熱風が当たる可能性が高い。
【０００６】
本発明は、上記課題を鑑みてなされたものであり、狭い会議室等で使用しても排気口からの熱風が出席者に当たるのを防止することができるプロジェクタを提供することを目的とする。
【課題を解決するための手段】
【０００７】
本発明のプロジェクタは、プロジェクタ本体の内部に設けられ、画像投影に用いられる光源と、前記プロジェクタ本体の天板部及び底板部を除く側板部に設けられ、前記光源の熱を、前記プロジェクタ本体の外部へ排出する排気口と、開閉自在な通気孔を有し、前記排気口を閉じる閉位置では、前記通気孔が開き、この通気孔を通って、前記プロジェクタ本体の側方へ前記熱を排出し、前記排気口を開放するとともに前記側板部の外面に対して傾斜した斜め開位置では、前記通気孔が閉じ、前記開放した排気口を通って、前記閉位置での排出方向とは異なる方向へ前記熱を排出するように、前記閉位置と斜め開位置との間で変位自在な開閉扉とを設けたことを特徴とする。なお、プロジェクタ本体の前記側板部には、プロジェクタ本体の側板の他、画像投影用の投影レンズが配設された前板や、これと反対側の後板も含まれる。
【０００８】
前記通気孔と相似形をした開口が形成された板状部材を、前記開閉扉の変位に連動して前記開閉扉の面に沿って摺動自在に設け、前記開閉扉を閉位置にセットしたときには、前記開口の位置と通気孔の位置とが一致して通気孔が開かれ、前記開閉扉を斜め開位置にセットしたときには、前記開口の位置と通気孔の位置とがずれて通気孔が閉じられることが好ましい。
【０００９】
前記開閉扉の少なくともプロジェクタ本体の内側の面は、緩やかに凹状に湾曲した形状をしていることが好ましい。
【００１０】
前記板状部材の一端部は、前記プロジェクタ本体に固定されていることが好ましい。また、前記板状部材と前記開閉扉との間に、前記板状部材を、前記通気孔が閉じる方向に付勢する付勢手段を設けることが好ましい。
【発明の効果】
【００１１】
本発明のプロジェクタによれば、プロジェクタ本体の排気口を閉じる閉位置と、排気口を開放するとともに側板部の面に対して傾斜した斜め開位置との間で変位自在に開閉扉を設けるとともに、開閉扉が閉位置にあるときに開かれるとともに開閉扉が斜め開位置にあるときに閉じられる通気孔を開閉扉に設けたので、狭い会議室等で使用する場合には、開閉扉を閉位置から斜め開位置に変位することにより、熱の排出方向を変更し、熱風が出席者に当たるのを防止することができる。
【００１２】
開閉扉の変位に連動して板状部材が開閉扉の面に沿って摺動され、開閉扉が閉位置では、開口の位置と通気孔の位置とが一致して通気孔が開かれ、開閉扉が斜め開位置では、開口の位置と通気孔の位置とがずれて通気孔が閉じられるから、開閉扉の変位によって、簡単、確実に、熱の排出方向を換えることができる。
【００１３】
開閉扉の少なくともプロジェクタ本体の内側の面を、緩やかに凹状に湾曲した形状としたので、開閉扉を斜め開位置にセットしたとき、より確実に熱がプロジェクタ本体の斜め上方へ排出される。
【００１４】
板状部材の一端部をプロジェクタ本体に固定したので、板状部材が開閉扉の変位に連動して開閉扉の面に沿って摺動し、通気孔の開閉を行なうことができる。また、板状部材と開閉扉との間に、板状部材を通気孔が閉じる方向に付勢する付勢手段を設けたので、板状部材が開閉扉の変位に連動して、通気孔の開閉を行なうことができる。
【図面の簡単な説明】
【００１５】
【図１】本発明の第１実施形態であるプロジェクタの外観を示す斜視図である。
【図２】閉位置の可動カバー及び板状部材を示す説明図である。
【図３】斜め開位置の可動カバー及び板状部材を示す説明図である。
【図４】可動カバーの閉位置と斜め開位置における熱風の各排出方向の相違を示す説明図である。
【図５】本発明の第２実施形態に係る閉位置の可動カバー及び板状部材を示す説明図である。
【図６】斜め開位置の可動カバー及び板状部材を示す説明図である。
【図７】可動カバーの閉位置と斜め開位置における熱風の各排出方向の相違を示す説明図である。
【発明を実施するための形態】
【００１６】
本発明の実施形態であるプロジェクタは、透過型の液晶パネルに画像を表示してスクリーン等に投影する液晶プロジェクタである。プロジェクタの筐体（プロジェクタ本体）の内部で発生する熱を排気ファンによって外部に熱風として排出する排出口に、スリット（通気孔）が形成された可動カバー（開閉扉）を設け、可動カバーが閉位置では可動カバーのスリットから筐体の側方（筐体の側板部に垂直な方向）へ排熱し、可動カバーを開位置にすることにより、熱風を可動カバーの閉位置での排出方向とは異なる方向へ排出する。参加者の着席位置に応じて熱風の排出方向を変更することにより、参加者の顔に熱風が当たらないようにし、参加者に不快感を与えることを防止することができる。なお、側板部には、後述する側板１１ｂの他、前板１１ａや後板（図示せず）も含まれる。
【００１７】
本発明の第１実施形態であるプロジェクタ１０の外観を示す図１において、ほぼ直方体の箱型状をした筐体１１（プロジェクタ本体）の前板１１ａ（側板部）には、画像をスクリーン等に投影する投影レンズ１２が設けられ、筐体１１の上部には、電源スイッチ１３，ズームダイヤル１４，ピント合わせダイヤル１５が設けられている。
【００１８】
筐体１１の両側板は、中央部がやや凸状に膨らんだ湾曲形状をしており、一方の側板１１ｂ（側板部）の一部には、ほぼ矩形状をした排気口１６が形成されている。この排気口１６には、これを開閉する可動カバー１７（開閉扉）が、排気口１６の下端部に設けられた軸１８（図２，図３参照）を中心に回動自在（変位自在）に設けられている。
【００１９】
可動カバー１７は、側板１１ｂと同じ緩やかな湾曲形状をしており、排気口１６を閉じた閉位置では、側板１１ｂの一部のように、側板１１ｂと一体化される。この閉位置にセットされた可動カバー１７が不用意に開かないように、閉位置にはクリックストップ機構（図示せず）が設けられている。
【００２０】
可動カバー１７は、詳しくは後述するように、排気口１６を開いた状態では、筐体１１内からの熱風（図４参照）がほぼ斜め上方へ排出されるように、側板１１ｂに対して傾斜した所定の斜め開位置で停止される。このため、可動カバー１７の下方部には、筐体１１の下部に形成された突条のストッパ１１ｃ（図４参照）に当接して、可動カバー１７を斜め開位置で停止させる位置決め用の突起部１７ａが設けられている。
【００２１】
可動カバー１７には、閉位置で筐体１１内からの熱風を筐体１１外の側方（側板１１ｂの外面にほぼ垂直な方向）へ排出するスリット１７ｂ（通気孔）が複数本（図面では８本）形成されている。また、可動カバー１７の上方部には、可動カバー１７を回動させる際に、指で摘む突起状のツマミ部１７ｃが形成されている。
【００２２】
可動カバー１７の構成を筐体１１の内側から示す図２，図３において、可動カバー１７の側方縁部には、それぞれＬ字状をした４個のガイド突起１７ｄ〜１７ｇが形成されており、これらに案内され、可動カバー１７の湾曲状をした背面（内側の面）に沿って摺動自在な薄い板状部材１９が設けられている。
【００２３】
板状部材１９は、筐体１１の内側の床面にネジ止め固定される下方の端部１９ａと、可動カバー１７の湾曲面に沿うように緩やかに湾曲された上方の湾曲部１９ｂと、端部１９ａと湾曲部１９ｂとの間に設けられた平板状の中間部１９ｃとからなる。
【００２４】
湾曲部１９ｂには、可動カバー１７のスリット１７ｂと同形状、同配列のスリット１９ｄ（開口）が形成されている。可動カバー１７が閉位置にセットされたとき、可動カバー１７のスリット１７ｂの位置と板状部材１９のスリット１９ｄの位置とが一致して、スリット１７ｂ，１９ｄが一体的な通気孔となり、後述する熱風がスリット１７ｂ，１９ｄを通過する。
【００２５】
図４に示すように、筐体１１内には、画像を表示する透過型の液晶パネル２０と、この背後に設けられ、液晶パネル２０に投影用の照明光を照射するキセノンランプ２１と、点灯中に熱源となるキセノンランプ２１から放出される熱を筐体１１外へ排出する排気ファン２２とが設けられている。同図（Ａ）に示すように、可動カバー１７が閉位置にセットされたとき、排気ファン２２からの熱風２３が、スリット１７ｂ，１９ｄを通って、筐体１１の側方外部へ排出される。
【００２６】
ツマミ部１７ｃを指で摘んで可動カバー１７を手前に引っぱり、可動カバー１７を閉位置から斜め開位置に回動すると、同図（Ｂ）に示すように、筐体１１の下部に形成された突条をしたストッパ１１ｃに可動カバー１７の突起部１７ａが当接し、可動カバー１７が斜め開位置に停止される。この斜め開位置にも閉位置と同様にクリックストップ機構を設けてもよい。
【００２７】
可動カバー１７の閉位置から斜め開位置への回動により、湾曲部１９ｂは、可動カバー１７に対して相対的に移動し、可動カバー１７の湾曲状をした背面に沿って摺動する。これにより、板状部材１９のスリット１９ｄが可動カバー１７のスリット１７ｂからずれて、スリット１９ｄ以外の板状部材１９の部分によってスリット１７ｂが塞がれる（図３参照）。なお、可動カバー１７の斜め開位置におけるスリット１７ｂ，１９ｄとの相対的位置は一定であり、スリット１７ｂは確実に塞がれる。
【００２８】
排気ファン２２からの熱風２３が、開放された排気口１６を通って、斜め開位置にセットされた可動カバー１７の湾曲した内壁面及び板状部材１９の湾曲部１９ｂに当たり、ほぼ斜め上方へ排出される。このため、狭い会議室内でプロジェクタ１０を使用する場合など、筐体１１の側方に参加者が着席せざるを得ないような場合、可動カバー１７を閉位置から斜め開位置へ回動することにより、参加者の顔に熱風２３が当たって不快感を与えることを防ぐことができる。なお、可動カバー１７が斜め開位置にセットされた状態では、熱風が可動カバー１７の両側縁から筐体１１の前後方向へも洩れるが、斜め上方へ排出される熱風量の方がはるかに多いので、筐体１１の前後にいる人に不快感を与える程の量の熱風が当たるおそれはない。
【００２９】
次に、本発明の第２実施形態について、図５〜図７を参照して説明する。第２実施形態のプロジェクタ３０の外観は、図１に示す第１実施形態のプロジェクタ１０と同じであるから、図示を省略する。また、プロジェクタ３０については、原則としてプロジェクタ１０との相違点のみを説明し、プロジェクタ１０の部材と全く同じものについては、同じ符号を付してその説明を省略するとともに、同様のものについては「同様」等の文言を付して説明を簡略的にする。
【００３０】
プロジェクタ３０の筐体３１に設けられた排気口３２には、これを開閉する上記可動カバー１７とほぼ同様の形状をした可動カバー３３が、軸１８を中心に回動自在に設けられている。可動カバー３３には、上記突起部１７ａ，スリット１７ｂ，ツマミ部１７ｃ，ガイド突起１７ｄ〜１７ｇとそれぞれ同様の突起部３３ａ，スリット３３ｂ，ツマミ部３３ｃ（図７参照），ガイド突起３３ｄ〜３３ｇが形成されている。
【００３１】
また、可動カバー３３には、軸１８と反対側の自由端側に軸１８の軸方向に対して垂直方向に細長い一対の小さなスリット３３ｈ，下方中央部に矩形状の凹部３３ｉがそれぞれ形成されている。凹部３３ｉの上端は、図面最下端のスリット３３ｂの中央部に連設されている。
【００３２】
排気口３２の両側縁部の上方部には、可動カバー３３が閉位置にセットされたときに、先端部が各スリット３３ｈに入り込む鉤型をした一対の突起部３２ａが形成されている。突起部３２ａの先端部は、下縁部がテーパー状に形成されており、このテーパー状の下縁部が、可動カバー３３が斜め開位置から閉位置へ回動される際に、後述する板状部材３５の切欠き部３５ａに入り込み、板状部材３５を図面下方へ押し下げる。
【００３３】
ガイド突起３３ｄ〜３３ｇによって可動カバー３３の湾曲状をした背面に沿って摺動自在に案内される薄い板状部材３５は、上記湾曲部１９ｂに対応する湾曲した部分のみからなり、その上方両角部に矩形状をした一対の切欠き部３５ａ（図６参照），板状部材３５の下方部に小さいスリット３５ｂがそれぞれ形成されている。切欠き部３５ａは、スリット３３ｈにほぼ重なる位置に形成されているが、切欠き部３５ａの図面縦方向の長さは、スリット３３ｈの長さよりも短くなっている。また、板状部材３５には、上記スリット１９ｄと同様のスリット３５ｃが形成されている。
【００３４】
可動カバー３３の軸１８に近い部位には、板状部材３５を図面の上方へ向かって付勢する捩りバネ３６が、ネジ３７によってネジ止めされている。捩りバネ３６の一端部３６ａは、可動カバー３３に形成された小穴３３ｊに差し込まれ、可動カバー３３に係止されている。捩りバネ３６の他端部３６ｂは、その先端部が直角に屈曲されており、その先端部がスリット３５ｂに差し込まれ、板状部材３５のスリット３５ｂ内で移動自在となっている。他端部３６ｂの先端部の図面上方向の移動範囲は、凹部３３ｉに連設されたスリット３３ｂの上縁部によって規定されている。
【００３５】
図７（Ａ）に示すように、可動カバー３３が閉位置にセットされたとき、突起部３２ａが切欠き部３５ａ及びスリット３３ｈに入り込み、突起部３２ａの先端部の下縁部により、捩りバネ３６の付勢力に抗して、板状部材３５を図面下方へ押し下げている。これにより、同図（Ｂ）に示すように、スリット３３ｂ，３５ｃの各位置が一致してスリット３３ｂ，３５ｃが通気孔となり、排気ファン２２からの熱風２３が、スリット３３ｂ，３５ｃを通って、筐体３１の側方外部へ排出される。なお、可動カバー３３の閉位置では、上記第１実施形態と同様に、図示しないクリックストップ機構により、可動カバー３３の不用意な斜め開位置側への回動が防止されている。
【００３６】
ツマミ部３３ｃを指で摘んで可動カバー３３を手前に引っぱり、可動カバー３３を閉位置から斜め開位置に回動すると、同図（Ｃ）に示すように、筐体３１の下部に形成された突条をした上記ストッパ１１ｃと同様のストッパ３１ａに可動カバー３３の突起部３３ａが当接し、可動カバー３３が斜め開位置に停止される。
【００３７】
可動カバー３３の閉位置から斜め開位置への回動により、突起部３２ａの先端部が切欠き部３５ａ及びスリット３３ｈから引き抜かれ、捩りバネ３６の付勢力により、板状部材３５が可動カバー３３に対して相対的に図面上方へ移動する。これにより、板状部材３５のスリット３５ｃが可動カバー３３のスリット３３ｂからずれ、スリット３５ｃ以外の板状部材３５の部分によってスリット３３ｂが塞がれる。熱風２３は、開放された排気口３２を通り、可動カバー３３の内壁面及び板状部材３５に当たってほぼ斜め上方へ排出される。
【００３８】
以上説明した実施形態では、排気口を筐体の側板の一部に設けたが、本発明はこれに限定されることなく、例えば、筐体の両側の側板や筐体の側板の複数箇所，もしくは側板の広い範囲に設けてもよく、また、筐体の側板に限らず、前板や後板（図示せず）に設けてもよい。
【００３９】
上記実施形態では、筐体をほぼ直方体の箱型状としたが、本発明はこれに限定されることなく、例えば、天板部及び底板部が円形や楕円形をした筐体でもよい。
【００４０】
上記実施形態では、板状部材を可動カバーの内側の面に設けたが、本発明はこれに限定されることなく、例えば、板状部材を可動カバーの外側の面に設けてもよい。また、板状部材を可動カバーの内部に設けるようにしてもよい。
【００４１】
上記実施形態では、可動カバーを回動自在としたが、可動カバーが閉位置と斜め開位置との間で変位できればよく、例えば、屈曲自在のアームを用いてプロジェクタ本体と可動カバーとを連結し、可動カバーをプロジェクタ本体から離す方向に引っ張れば、可動カバーが閉位置から斜め開位置へ変位され、可動カバーをプロジェクタ本体側へ押せば、可動カバーが斜め開位置から閉位置へ変位するようにしてもよい。
【００４２】
上記実施形態では、可動カバーの回動動作を手動によって任意に行なったが、本発明はこれに限定されることなく、例えば、電源スイッチがオンされるのに連動して、モータ等の駆動手段により、自動的に可動カバーが閉位置から斜め開位置へ回動されるようにしてもよい。この場合、電源スイッチがオンのときには常に上向き排気となる。また、この場合、例えば温度センサを設け、電源スイッチをオフにしてキセノンランプ等の光源が消灯した後、プロジェクタ内が一定温度以下になるまで、可動カバーが開いたままの状態とし、プロジェクタ内が一定温度以下になったことが検知された後、可動カバーが閉じられるようにするのがよい。また、温度センサの代わりにタイマーを設け、キセノンランプ等の光源が消灯してから所定の時間経過後に可動カバーが閉じられるようにしてもよい。また、電源スイッチとは独立してスイッチを設け、このスイッチにより電動式に可動カバーの開閉を行なうようにしてもよい。
【００４３】
上記第２実施形態において、可動カバーの閉位置で可動カバーのスリットと板状部材のスリットとを一致させる手段として、通気用のスリットとは別にスリットを設け、これに先端部にテーパー状の下縁部を有する突起部を差し込むようにしたが、通気用のスリットに、先端部がテーパー状をした突起部を差し込むようにしてもよい。
【００４４】
上記実施形態では、可動カバーの外面及び背面を湾曲した形状としたが、本発明はこれに限定されることなく、例えば可動カバーの背面（熱風が当たる面）のみを湾曲させてもよい。また、熱風をほぼ斜め上方へ排出できれば、例えば屈曲した形状でもよい。また、可動カバーの両側縁部に、熱風が可動カバーの両側縁からプロジェクタの前後方向等へ洩れるのを防ぐ防風部材を立設してもよい。
【００４５】
上記実施形態では、熱風を筐体のほぼ斜め上方へ排出するようにしたが、本発明はこれに限定されることなく、例えば、開閉扉の閉位置での排出方向と異なる方向であればよく、可動カバーの変位する方向を換えて、筐体の上、下、前、後の各方向のいずれであってもよい。ただし、前方向、後方向は、筐体の前方、後方に人がいない場合である。また、筐体の下方向へ熱風を排出する場合、熱風がプロジェクタを載置する台の表面で跳ね返って出席者に当たることがないように、台のサイズが筐体の輪郭内に納まる程度であることが望ましい。
【００４６】
上記実施形態では、可動カバーの通気孔としてスリットを用いたが、本発明はこれに限定されることなく、例えば円形や楕円や矩形状の孔を用いてもよい。
【符号の説明】
【００４７】
１０，３０  プロジェクタ
１１，３１  筐体（プロジェクタ本体）
１６，３２  排気口
１７，３３  可動カバー
１７ｂ，１９ｄ，３３ｂ，３３ｈ，３５ｂ，３５ｃ  スリット
１９，３５  板状部材
２０  液晶パネル
２１  キセノンランプ
２２  排気ファン
３６  捩りバネ
【図１】
2010286560.tif 000003
【図２】
2010286560.tif 000004
【図３】
2010286560.tif 000005
【図４】
2010286560.tif 000006
【図５】
2010286560.tif 000007
【図６】
2010286560.tif 000008
【図７】
2010286560.tif 000009